(57)【要約】【課題】トレイ排出機構におけるプッシュバーの先端部分が、トレイのロック状態及び非ロック状態のいずれにおいても、切欠かれたハウジングの側壁の外側に配置されるようになっているカードコネクタにおいて、当該ハウジングの側壁の損傷を防止することができるカードコネクタを提供する。【解決手段】カードコネクタ１におけるトレイ排出機構５０のプッシュバー５１は、その先端部分５１Ａが、トレイ４０のロック状態及び非ロック状態のいずれにおいても、切欠かれたハウジング１０の側壁１５の外側に配置されるようになっている。シェル３０には、切欠かれたハウジング１０の側壁１５を覆う被覆部３５がシェル３０と一体的に設けられている。【選択図】図１
2017033833.tif 000002
【特許請求の範囲】
【請求項１】
コンタクトが取り付けられたハウジングと、該ハウジングの上方を覆う金属製のシェルと、カードが載置されるとともに前記ハウジングに装着されるトレイと、前記ハウジングに装着された前記トレイを排出するトレイ排出機構とを備え、該トレイ排出機構が、前記トレイの挿入方向及び排出方向に移動可能に配置され、前記トレイの挿入方向に押圧することによりロック機構による前記トレイのロック状態を解除するプッシュバーを備え、該プッシュバーは、その先端部分が、前記トレイのロック状態及び非ロック状態のいずれにおいても、切欠かれた前記ハウジングの側壁の外側に配置されるようになっているカードコネクタであって、
前記シェルに、切欠かれた前記ハウジングの側壁を覆う被覆部を前記シェルと一体的に設けたことを特徴とするカードコネクタ。
【請求項２】
前記被覆部が、前記ハウジングに係止する係止部を有することを特徴とする請求項１に記載のカードコネクタ。
【請求項３】
前記プッシュバーの自由端が、切欠かれた前記ハウジングの側壁に向いていることを特徴とする請求項１又は２に記載のカードコネクタ。
【請求項４】
前記プッシュバーは、その先端部分の最先端部が、前記トレイのロック状態において、前記ハウジングの先端面から突出しない位置に配置されることを特徴とする請求項１乃至３のうちいずれか一項に記載のカードコネクタ。
【発明の詳細な説明】
【技術分野】
【０００１】
本発明は、プッシュバーを有するトレイ排出機構を備えたカードコネクタに関する。
【背景技術】
【０００２】
従来のこの種のカード用コネクタ装置として、例えば、特許文献１に示すものが知られている。
特許文献１に示すカード用コネクタ装置は、コンタクト端子が取り付けられたハウジングと、ハウジングの上部を覆うカバー部材と、カードが載置されるとともにハウジングに装着されるトレイと、ハウジングに装着されたトレイを排出するトレイ排出機構とを備えている。トレイ排出機構は、トレイとともに移動可能なスライド部材と、スライド部材をロックするロック機構とを備えている。また、トレイ排出機構は、トレイの挿入方向及び排出方向に移動可能に配置され、トレイの挿入方向に押圧することによりロック機構によるスライド部材のロック状態を解除するプッシュバーを備えている。
【０００３】
このカード用コネクタ装置においては、カードを載置したトレイをスライド部材とともにハウジングの所定の装着位置まで挿入すると、スライド部材がロック機構によってロックされる。そして、この状態で、外部ピンによってプッシュバーをトレイの挿入方向に押圧すると、ロック機構によるスライド部材のロック状態が解除され、スライド部材が付勢部材の付勢力により排出方向に移動する。このスライド部材の移動に伴い、トレイも排出方向に移動してトレイの排出を行うことができるようになっている。
【先行技術文献】
【特許文献】
【０００４】
【特許文献１】特開２００８−１０８６９５号公報
【発明の概要】
【発明が解決しようとする課題】
【０００５】
ところで、特許文献１に示すカード用コネクタ装置においては、スライド部材のロック状態における、プッシュバーの先端部分のハウジングの先端からの突出量がかなり大きい。このため、カード用コネクタ装置の小型化を図れない。
一方、近年においては、この種のカード用コネクタ装置の小型化を図るために、トレイのロック状態における、プッシュバーの先端部分のハウジングの先端からの突出量を小さくするカード用コネクタ装置が開発されている。このカード用コネクタ装置においては、トレイのロック状態及び非ロック状態のいずれにおいても、プッシュバーの先端部分が外部に露出するようにハウジングを切欠いている。また、ハウジングの上部を覆うカバー部材もプッシュバーの先端部分に対応する部分は切欠かれている。従って、トレイのロック状態及び非ロック状態のいずれにおいても、プッシュバーの先端部分は切欠かれたハウジングの側壁の外側に配置されている。
【０００６】
しかしながら、このカード用コネクタ装置にあっては、次の問題点があった。
即ち、外部ピンによるプッシュバーの押圧時に、外部ピンが斜めに挿入されることがある。この場合、外部ピンによって切欠かれたハウジングの側壁が損傷したり、あるいは斜めに挿入された外部ピンによってプッシュバーの自由端が当該ハウジングの側壁に当接し、その側壁が損傷してしまうことがある。ハウジングの側壁が損傷すると、プッシュバーの案内性が低下したり、削れ粉が浮遊するといった不具合が発生する可能性がある。
従って、本発明は、この問題を解決するためになされたものであり、その目的は、トレイ排出機構におけるプッシュバーの先端部分が、トレイのロック状態及び非ロック状態のいずれにおいても、切欠かれたハウジングの側壁の外側に配置されるようになっているカードコネクタにおいて、当該ハウジングの側壁の損傷を防止することができるカードコネクタを提供することにある。
【課題を解決するための手段】
【０００７】
上記目的を達成するために、本発明の一態様に係るカードコネクタは、コンタクトが取り付けられたハウジングと、該ハウジングの上部を覆う金属製のシェルと、カードが載置されるとともに前記ハウジングに装着されるトレイと、前記ハウジングに装着された前記トレイを排出するトレイ排出機構とを備え、該トレイ排出機構が、前記トレイの挿入方向及び排出方向に移動可能に配置され、前記トレイの挿入方向に押圧することによりロック機構による前記トレイのロック状態を解除するプッシュバーを備え、該プッシュバーは、その先端部分が、前記トレイのロック状態及び非ロック状態のいずれにおいても、切欠かれた前記ハウジングの側壁の外側に配置されるようになっているカードコネクタであって、前記シェルに、切欠かれた前記ハウジングの側壁を覆う被覆部を前記シェルと一体的に設けたことを要旨とする。
【発明の効果】
【０００８】
本発明に係るカードコネクタによれば、シェルに、切欠かれたハウジングの側壁を覆う被覆部をシェルと一体的に設けたので、トレイ排出機構におけるプッシュバーの先端部分が、トレイのロック状態及び非ロック状態のいずれにおいても、切欠かれたハウジングの側壁の外側に配置されるようになっているカードコネクタにおいて、当該ハウジングの側壁の損傷を防止することができる。
【図面の簡単な説明】
【０００９】
【図１】本発明の一実施形態に係るカードコネクタをカードとともに示す斜視図である。但し、図１においては、トレイがロック状態にある状態を示している。
【図２】本発明の一実施形態に係るカードコネクタをカードとともに示す斜視図である。但し、図２においては、トレイが非ロック状態にある状態を示している。
【図３】図１に示すカードコネクタからトレイを取り除いた状態の正面斜め上方から見た斜視図である。
【図４】図１に示すカードコネクタからトレイを取り除いた状態の正面斜め下方から見た斜視図である。
【図５】図３における矢印５で示す部分の拡大図である。
【図６】図１に示すカードコネクタからトレイ及びシェルを取り除いた状態の平面図である。
【発明を実施するための形態】
【００１０】
以下、本発明の実施の形態を図面を参照して説明する。
図１及び図２に示すカードコネクタ１は、携帯機器を含む電子機器に用いられ、図示しない回路基板上に実装される。そして、カードコネクタ１には、トレイ４０によってＳＩＭ（加入者識別モジュール）カード等の第１カードＣ及びマイクロＳＤカード等の第２カード（図示せず）、あるいは第１カードＣが２枚挿入される。
そして、カードコネクタ１は、図１乃至図６に示すように、ハウジング１０と、複数の第１コンタクト２１、第２コンタクト２２、及び第３コンタクト２３と、金属製のシェル３０と、トレイ４０と、トレイ排出機構５０とを備えている。
【００１１】
ハウジング１０は、図１、図２及び図６に示すように、矢印Ａで示すトレイ４０の挿入方向及び矢印Ｂで示すトレイ排出方向に対応する前後方向及び矢印Ｃで示す左右方向に延びる略矩形平板状の底板部１１を備えている。ハウジング１０は、絶縁性の合成樹脂を成形することによって形成される。
そして、ハウジング１０の底板部１１の左端部（図６における左端部）には左側壁１２が立ち上がるように設けられ、底板部１１の右端部には右側壁１３が立ち上がるように設けられる。また、ハウジング１０の右側壁１３の前端部（図６における下端部）には平面から見て略矩形状の切欠き１４が形成され、この切欠き１４の左側に残部の側壁１５が形成されている。そして、側壁１５の右側面１５ａと右側壁１３の前端面１３ａとが露出している。
【００１２】
また、複数の第１コンタクト２１は、図６に示すように、底板部１１の前側に配置され、複数の第２コンタクト２２は、底板部１１の前後方向略中央部に配置され、複数の第３コンタクト２３は、底板部１１の後側に配置される。各第１コンタクト２１、各第２コンタクト２２及び各第３コンタクト２３は、底板部１１にインサートモールドによって取り付けられる。各第１コンタクト２１には、第１カードＣの導電パッドが接触し、各第２コンタクト２２には、第２カードの導電パッド接触し、各第３コンタクト２３には、もう一枚の第１カードＣの導電パッドが接触可能となっている。
【００１３】
また、金属製のシェル３０は、図１乃至図４に示すように、ハウジング１０の上方を覆うようにハウジング１０に取り付けられる。これにより、ハウジング１０の底板部１１とシェル３０との間にトレイ挿入空間１６を形成する。シェル３０は、金属板を打ち抜き及び曲げ加工することによって形成され、ハウジング１０の底板部１１に対向して底板部１１の上方を覆う平板部３１を備えている。また、シェル３０は、平板部３１の左縁から下方に延びてハウジング１０の左側壁１２の外壁面に取り付けられる左側壁部３２と、平板部３１の右縁から下方に延びてハウジング１０の右側壁１３の外壁面に取り付けられる右側壁部３３とを備えている。さらに、シェル３０の平板部３１及び右側壁部３３には、ハウジング１０の切欠き１４に対応して側壁１５の右側面１５ａと右側壁１３の前端面１３ａとを露出させる切欠き３４が設けられている。
【００１４】
また、シェル３０の切欠き３４には、図５に示すように、切欠かれたハウジング１０の側壁１５を覆う被覆部３５がシェル３０と一体的に設けられている。被覆部３５は、側壁１５の上側にあるシェル３０の切欠き３４の縁から下方に延びて側壁１５の上面と側壁１５の右側面１５ａとを覆う。そして、被覆部３５は、図４に示すように、被覆部３５の下縁近傍から側壁１５側に折り返されてハウジング１０（側壁１５）に係止する係止部３６を有している。
また、トレイ４０は、２枚の第１カードＣ及び第２カードが載置されるカード載置部４１と、カード載置部４１の矢印Ａで示すトレイ４０の挿入方向の手前端部（前端部）に設けられた押圧部４２とを備えている。カード載置部４１には、載置された２枚の第１カードＣの導電パッド及び第２カードの導電パッドが露出可能な開口が形成されている。また、押圧部４２は、カード載置部４１の左右方向の幅全体に亘って延び、作業者が指で押圧可能な平板形状をなしている。そして、トレイ４０は、そのカード載置部４１がトレイ挿入空間１６に挿入され、挿入完了位置になると、後述するロック機構６０によりロックされてハウジング１０に装着される。このトレイ４０のロック状態において、トレイ４０に載置された第１カードＣ等の導電パッドが第１コンタクト２１等に接触する。
【００１５】
ここで、ロック機構６０は、図６に示すように、ハウジング１０の左右方向の両側に１対設けられている。左側のロック機構６０は、両端が左側壁１２に固定されて略中央部がトレイ挿入空間１６に向けて突出する両持ち弾性梁６１と、両持ち弾性梁６１の略中間部に設けられたロック突起６２とを備えている。ロック突起６２は、トレイ４０の挿入完了時に、カード載置部４１の左側面に形成された凹部（図示せず）に入り込んでトレイ４０をロックする。また、右側のロック機構６０は、両端が右側壁１３に固定されて略中央部がトレイ挿入空間１６に向けて突出する両持ち弾性梁６１と、両持ち弾性梁６１の略中間部に設けられたロック突起６２とを備えている。ロック突起６２は、トレイ４０の挿入完了時に、カード載置部４１の右側面に形成された凹部（図示せず）に入り込んでトレイ４０をロックする。
【００１６】
また、トレイ排出機構５０は、ハウジング１０に装着されたトレイ４０を排出するものであり、プッシュバー５１と、排出アーム５２とを備えている。
プッシュバー５１は、図６に示すように、前後方向に延びる板状部材であり、ハウジング１０の右側壁１３に対して矢印Ａで示すトレイ４０の挿入方向及び矢印Ｂで示すトレイ４０の排出方向に移動可能に取り付けられる。プッシュバー５１は、金属板を打ち抜き及び曲げ加工することによって形成され、剪断面が上下となるようにハウジング１０の右側壁１３に取り付けられる。プッシュバー５１は、トレイ４０の挿入方向に押圧することにより排出アーム５２を介してロック機構６０によるトレイ４０のロック状態を解除する。プッシュバー５１の前端部分（先端部分）５１Ａには、外側に突出する湾曲部５１ａを介して内方に延びるピン押圧部５１ｂが設けられる。プッシュバー５１の自由端、即ちピン押圧部５１ｂの自由端５１ｃは、側壁１５に向いている。そして、プッシュバー５１は、その前端部分５１Ａが、トレイ４０のロック状態及び非ロック状態のいずれにおいても、切欠かれたハウジング１０の側壁１５の外側に配置される。また、プッシュバー５１は、その前端部分５１Ａの最前端部が、トレイ４０のロック状態において、ハウジングの前端面（先端面）１７と面一となる位置に配置される。
【００１７】
また、排出アーム５２は、図６に示すように、ハウジング１０の左右方向に細長く延びるアーム状に形成され、その左右方向略中央部がハウジング１０の底板部１１の後端部に支軸５３によって回転可能に支持される。そして、排出アーム５２の一端５２ａはプッシュバー５１の後端部に当接し、排出アーム５２の他端５２ｂはトレイ挿入空間１６に挿入されたトレイ４０の後端部に当接する。そして、トレイ４０のロック状態において、電子機器の外部から外部ピン（図示せず）でプッシュバー５１のピン押圧部５１ｂをトレイ４０の挿入方向に押圧する。これにより、排出アーム５２が支軸５３を中心に反時計回りに回転し、排出アーム５２の他端５２ｂがトレイ４０を排出方向に押圧する。これにより、ロック機構６０によるトレイ４０のロック状態が解除されて、トレイ４０が排出され、第１カードＣ等が排出される。
【００１８】
次に、本発明の一実施形態に係るカードコネクタ１の作用について説明する。
先ず、トレイ挿入空間１６内にトレイ４０が挿入されていない状態で、トレイ４０のカード載置部４１に第１カードＣ等を載置する。そして、トレイ４０のカード載置部４１を第１カードＣ等とともにトレイ挿入空間１６に挿入する。そして、トレイ４０の挿入を進行させて挿入完了位置になると、ロック機構６０のロック突起６２がカード載置部４１の凹部に入り込み、トレイ４０がロックされる。このトレイ４０のロック状態において、トレイ４０に載置された第１カードＣ等の導電パッドが第１コンタクト２１等に接触する。
【００１９】
そして、このトレイ４０のロック状態において、図１に示すように、プッシュバー５１の前端部分５１Ａは、ハウジングの前端面（先端面）１７と面一に位置する。この状態で、電子機器の外部から外部ピン（図示せず）でプッシュバー５１のピン押圧部５１ｂをトレイ４０の挿入方向に押圧する。これにより、プッシュバー５１がトレイ４０の挿入方向に移動し、排出アーム５２が支軸５３を中心に反時計回りに回転し、排出アーム５２の他端５２ｂがトレイ４０を排出方向に押圧する。これにより、ロック機構６０によるトレイ４０のロック状態が解除されて、図２に示すように、トレイ４０が排出され、第１カードＣ等が排出される。
【００２０】
ここで、電子機器の外部から外部ピンでプッシュバー５１のピン押圧部５１ｂを押圧する際に、外部ピンがハウジング１０の側壁１５に向かって斜めに挿入されることがある。この場合、外部ピンがシェル３０に設けられた被覆部３５に当接し、外部ピンによる側壁１５の損傷は回避される。また、外部ピンが斜めに挿入されてピン押圧部５１ｂに当接し、プッシュバー５１の自由端５１ｃが側壁１５に向かって変位することがある。この場合、当該自由端５１ｃが被覆部３５に当接し、プッシュバー５１による側壁１５の損傷は回避される。このため、側壁１５の損傷を防止することができる。
【００２１】
また、本実施形態に係るカードコネクタ１において、被覆部３５は、シェル３０と一体的に設けられている。このため、被覆部３５を、シェル３０を形成する際に同時に形成することができ、低コストで製造することができる。
また、本実施形態に係るカードコネクタ１において、被覆部３５は、ハウジング１０に係止する係止部３６を有する。このため、シェル３０のハウジング１０への取付け強度を向上させることができる。また、シェル３０によってハウジング１０の反りを防止することができる。
【００２２】
更に、本実施形態に係るカードコネクタ１において、プッシュバー５１は、その前端部分５１Ａの最前端部が、トレイ４０のロック状態において、ハウジング１０の前端面１７と面一となる位置に配置される。このため、カードコネクタ１の小型化を図ることができる。なお、カードコネクタ１の小型化を図るためには、プッシュバー５１の前端部分５１Ａの最前端部（最先端部）は、ハウジング１０の前端面１７から突出しない位置であれば、当該前端面１７と面一の位置に限らない。
以上、本発明の実施形態について説明してきたが、本発明はこれに限定されずに種々の変更、改良を行うことができる。
【００２３】
例えば、トレイ４０に載置されるカードは、ＳＩＭ（加入者識別モジュール）カード等の第１カードＣ及びマイクロＳＤカード等の第２カード（図示せず）、あるいは第１カードＣが２枚挿入される場合に限らず、そのカードの種類及び枚数は任意とすることができる。
また、被覆部３５は、ハウジング１０に係止する係止部３６を必ずしも有していなくてもよい。
また、プッシュバー５１の自由端５１ｃは、切欠かれたハウジング１０の側壁１５に向いている必要は必ずしもない。
更に、プッシュバー５１は、その前端部分５１Ａの最前端部が、トレイ４０のロック状態において、ハウジング１０の前端面１７から突出していてもよい。
【符号の説明】
【００２４】
１  カードコネクタ
１０  ハウジング
１５  側壁
１７  前端面（先端面）
２１  第１コンタクト（コンタクト）
２２  第２コンタクト（コンタクト）
２３  第３コンタクト（コンタクト）
３０  シェル
３５  被覆部
３６  係止部
４０  トレイ
５０  トレイ排出機構
５１  プッシュバー
５１Ａ  前端部分（先端部分）
５１ｃ  自由端
Ｃ  第１カード（カード）
【図１】
2017033833.tif 000003
【図２】
2017033833.tif 000004
【図３】
2017033833.tif 000005
【図４】
2017033833.tif 000006
【図５】
2017033833.tif 000007
【図６】
2017033833.tif 000008